(57)【要約】【課題】  透過型表示器と第２の表示器とを備える弾球遊技機において、モアレ発生を防いで各々の可変表示の視認性低下を防ぐこと。【解決手段】  遊技盤１の前方に配置されたＥＬディスプレイ２は透過型表示器であるから遊技盤１の視認性を低下させず、遊技盤１に装着された液晶ディスプレイ３と共に多くの情報を表示できる。遊技者から見てＥＬディスプレイ２の表示領域２ａおよび配線電極２ｂは液晶ディスプレイ３の表示領域３ａおよび配線電極と重なっていないから、モアレ模様が発生しない。よって、ＥＬディスプレイ２と液晶ディスプレイ３の可変表示の視認性低下は無く、遊技者に不快感を与えない。【選択図】  図１
2005205081.tif 000002
【特許請求の範囲】
【請求項１】
相対的に手前側に配された透過型表示器と、
相対的に奥側に配された第２の表示器とを備えており、
遊技者の視線では上記透過型表示器の表示領域と上記第２の表示器の表示領域とが重ならない設定とされている
ことを特徴とする弾球遊技機。
【請求項２】
請求項１記載の弾球遊技機において、
上記透過型表示器の配線電極が遊技者の視線では上記第２の表示器の表示領域と重ならない領域に配設されていることを特徴とする弾球遊技機。
【請求項３】
請求項１又は２記載の弾球遊技機において、
上記透過型表示器の表示領域が遊技者の視線では上記第２の表示器の配線電極と重ならない領域に配設されていることを特徴とする弾球遊技機。
【請求項４】
請求項１、２又は３記載の弾球遊技機において、
上記透過型表示器の配線電極が遊技者の視線では上記第２の表示器の配線電極と重ならない領域に配設されていることを特徴とする弾球遊技機。
【請求項５】
請求項１から４のいずれか１項に記載の弾球遊技機において、
上記透過型表示器は遊技盤面との間に遊技球が通過可能な間隔を保って配置されていることを特徴とする弾球遊技機。
【請求項６】
請求項５記載の弾球遊技機において、
上記透過型表示器は、遊技盤の前方に配される透明板に保持されるか、該透明板の一部とされていることを特徴とする弾球遊技機。
【請求項７】
請求項６記載の弾球遊技機において、
上記透過型表示器の配線電極が上記透明板の表面に配設されていることを特徴とする弾球遊技機。
【請求項８】
請求項７記載の弾球遊技機において、
上記表示領域となるユニットを上記透明板に接着することで該ユニットに設けられている取り出し電極と上記透明板上の配線電極とを電気的に導通接続させたことを特徴とする弾球遊技機。
【発明の詳細な説明】
【技術分野】
【０００１】
この発明は、パチンコ機等の弾球遊技機の技術分野に属する。
【背景技術】
【０００２】
表示器を遊技盤の前面側に離して配置して遊技盤との間を遊技球が通過可能とすることにより、遊技球の落下経路が表示器によって制限されることを少なくした弾球遊技機が開示されている。
【０００３】
例えば特開平５−１１５５９６号公報（特許文献１）には、遊技盤との間に遊技球が通過可能な間隔を隔てて液晶表示器を配置した構成が開示されている。また、特開２００１-２４６０９７号公報（特許文献２）には、遊技盤の前面に配設された２枚の板ガラスの中央部分に可変表示器を配設し、奥側の板ガラスの表面に貼付された透視ケーブルにて表示用の電気信号を伝送する構成が開示されている。
【特許文献１】特開平５−１１５５９６号公報（段落００１１、００１３、図３、４）
【特許文献２】特開２００１-２４６０９７号公報（段落０００９、図２）
【発明の開示】
【発明が解決しようとする課題】
【０００４】
ところで、上記従来の弾球遊技機において、遊技盤から前面側に離されて配置された表示器とは別に第２の表示器を備えて（これを例えば遊技盤に配設して）、可変表示の情報表示量を増やそうとする場合、次のような問題が発生する。この問題を図１１（パチンコ機の遊技盤部分の正面概要図）及び図１２（図１１の断面概要図）により、具体的に説明する。
【０００５】
遊技盤１には液晶ディスプレイ３、障害釘４、入賞口５などが装着されており、その前面側（遊技者側）にはガラス枠６に保持された板ガラス７ａ、７ｂが配されている。ガラス枠６は図示しない前面枠に軸支されていて扉状に開閉できるが、図１１、１２はガラス枠６を閉じた状態を示している。この状態では、遊技盤１と遊技盤１側の板ガラス７ｂとの間に、遊技領域となって遊技球８を流下させる空間が確保されている。
【０００６】
また、板ガラス７ｂの上半部にはエレクトロルミネッセンス（ＥＬ）ディスプレイ２が接着されて、一体化されている。ＥＬディスプレイ２は表示領域２ａや配線電極２ｂを備えている。ＥＬディスプレイ２はガラス基板上に発光層や電極等を薄膜で設けて形成されているが、膜は総膜厚でおよそ２μｍぐらいの非常に薄い膜であってほぼ透明である。また、ＥＬディスプレイ２はＦＰＣ９により回路基板１０と電気的に接続されている。
【０００７】
図１１、１２に示すような配置であると、液晶ディスプレイ３の表示領域とＥＬディスプレイ２の表示領域２ａあるいは配線電極２ｂとが重なった部分では図１１に示すようにモアレ模様１１が発生し、ＥＬディスプレイ２および液晶ディスプレイ３の表示の視認性低下を招く問題が発生する。また各々の表示器の表示領域以外にある配線電極同士が重なった場合にもモアレ模様は発生し、遊技者にとって不快感を与える。
【０００８】
本発明は、上記問題を鑑みてなされたものであり、透過型表示器と第２の表示器とを備える弾球遊技機において、遊技者に不快感を与えるモアレ発生を防いで各々の可変表示の視認性低下を防ぐことを目的としている。
【課題を解決するための手段】
【０００９】
上記目的を達成するための請求項１の弾球遊技機は、相対的に手前側に配された透過型表示器と、相対的に奥側に配された第２の表示器とを備えており、遊技者の視線では上記透過型表示器の表示領域と上記第２の表示器の表示領域とが重ならない設定とされていることを特徴とする。
【００１０】
透過型表示器としては、透明ＥＬディスプレイや透明液晶ディスプレイが例示されるが、背後からの光を前方へ透過させる表示器であればよく、これらに限らない。
第２の表示器は、これも透過型であってもよいし非透過型であってもよい。
【００１１】
透過型表示器は相対的に手前側すなわち遊技者に近い側に配され、第２の表示器は相対的に奥側すなわち透過型表示器よりも遊技者から遠い側に配される。
そのような位置（遠近）関係であれば具体的な設置場所は特に限定されないが、透過型表示器は遊技盤から適宜間隔をとって遊技盤の前方に配置する（例えば請求項５、６）のが望ましく、第２の表示器は遊技盤に取り付けられるのが望ましい。なお、第２の表示器は直接遊技盤に取り付けられてもよいし、例えばセンターケースのような支持部材を介して間接的に遊技盤に取り付けられてもよい。
【００１２】
請求項１の弾球遊技機は、遊技者の視線では透過型表示器の表示領域と第２の表示器の表示領域とが重ならない設定とされているから、遊技者が見るときに２つの表示器の表示領域同士が重ならない。従って、モアレ模様発生による透過型表示器及び第２の表示器の視認性低下を防ぐことができる。
【００１３】
このモアレ模様は表示領域同士が重なった場合以外にも発生する。例えば第２の表示器のドットサイズと透過型表示器の配線電極の幅が近くて、しかも観察者の視線上で重なる場合にも発生する。
【００１４】
そこで請求項２の弾球遊技機は、請求項１に記載の弾球遊技機において、上記透過型表示器の配線電極が遊技者の視線では上記第２の表示器の表示領域と重ならない領域に配設されている構成とした。これにより、透過型表示器の配線電極と第２の表示器の表示領域との重畳に起因するモアレ模様で視認性が低下するのを防ぐことができる。
【００１５】
なお、第２の表示器の配線電極が遊技者の視界に出る場合には、この配線電極が原因となるモアレ模様の発生も防ぐのが望ましい。
請求項３記載の弾球遊技機は、請求項１又は２記載の弾球遊技機において、上記透過型表示器の表示領域が遊技者の視線では上記第２の表示器の配線電極と重ならない領域に配設されていることを特徴とするので、第２の表示器の配線電極が透過型表示器の表示領域と重なることに起因するモアレ模様の発生を防ぐことができる。
【００１６】
また、第２の表示器の配線電極が透過型表示器の配線電極と重なる場合もモアレ模様が発生することがある。
これに対しては請求項４の構成、すなわち請求項１、２又は３記載の弾球遊技機において、上記透過型表示器の配線電極が遊技者の視線では上記第２の表示器の配線電極と重ならない領域に配設されている構成を採用することでモアレ模様の発生を防止できる。
【００１７】
請求項５記載の弾球遊技機は、請求項１から４のいずれか１項に記載の弾球遊技機において、上記透過型表示器は遊技球が背後を通過可能に配置されていることを特徴とするので、透過型表示器が遊技球の落下経路を制限するのを回避でき、遊技領域を効率よく使用できる。
【００１８】
透過型表示器の背後を遊技球が通過可能とするには、例えば遊技盤面との間に遊技球が通過可能な間隔を保って透過型表示器を配置すればよい。或いは、透過型表示器の背後に遊技球の通路となる穴や凹所等を設けてもよい。
【００１９】
請求項６記載の弾球遊技機は、請求項５記載の弾球遊技機において、上記透過型表示器は、遊技盤の前方に配される透明板に保持されるか、該透明板の一部とされていることを特徴とするので、表示器を透かして背後が見えるという透過型表示器の利点を活用できる。
【００２０】
透過型表示器を透明板に保持させるには、例えば透明な接着剤で透過型表示器を透明板に接着して、一体化すればよい。また、例えば額縁状の保持手段を透明板に取り付けて、この保持手段にて透過型表示器を保持する構成等を採用してもよい。
【００２１】
なお、透明板として板ガラスを用いるのが一般的であるが、例えばアクリル樹脂等の透明な合成樹脂を透明板としてもよい。
請求項７記載の弾球遊技機は、請求項６記載の弾球遊技機において、上記透過型表示器の配線電極が上記透明板の表面に配設されていることを特徴とする。
【００２２】
透過型表示器の配線電極を透明板の表面に配設しているので、透過型表示器の表示領域の位置に関係なく、配線電極と電気信号を伝達するケーブル等とを透明板の端部にて接続する構成にできる。こうすることで、ケーブル等が遊技球の落下経路の支障になるのを防ぎ、また透過型表示器と回路基板との電気接続が遊技者に見えない領域で行われ、ケーブル等による透明性の低下を防ぐことができる。
【００２３】
この請求項７の構成において、上記表示領域となるユニットを上記透明板に接着することで該ユニットに設けられている取り出し電極と上記透明板上の配線電極とを電気的に導通接続させた構成、すなわち請求項８の構成とすることができる。
【００２４】
こうすれば、透過型表示器の表示領域となるユニット（取り出し電極が含まれる。）を透明板に貼り合せるだけで良いので、透過型表示器の表示領域が設けられるガラス基板のサイズを小さくすることができ、この表示器の価格を低下させることができる。また透明板となる板ガラスを透過型表示器の一部として使うこともできるので透過型表示器の価格を更に押さえることが可能となる。
【発明を実施するための最良の形態】
【００２５】
次に、本発明のいくつかの実施例により最良の実施形態を説明する。なお、本発明は以下の具体的な例に限定されるわけではない。
［実施例１］
本発明の第１実施形態について図１、２を用いて説明する。図１は本発明の弾球遊技機の１種であるパチンコ機の要部（遊技盤）の正面概要図であり、図２は同部分の断面概要図である。なお、図示しない部分（説明も省略）はすべて公知技術に従っている。
【００２６】
遊技盤１には液晶ディスプレイ３（第２の表示器に該当）、障害釘４、入賞口５（図示は１つだけであるが、アタッカー式の大入賞口やチューリップ式の可変入賞口等もある。）などが装着されており、その前面側（遊技者側）にはガラス枠６に保持された板ガラス７ａ、７ｂが配されている。ガラス枠６は図示しない前面枠に軸支されていて扉状に開閉できるが、図１、２はガラス枠６を閉じた状態を示している。この状態では、遊技盤１と遊技盤１側の板ガラス７ｂとの間に、遊技領域となって遊技球８を流下させる空間が確保されている。
【００２７】
また、内側の板ガラス７ｂの内面にはＥＬディスプレイ２（透過型表示器に該当）が取り付けられているが、図２に良好に示されるとおり、遊技盤１との間に遊技球８が通過可能な間隔を保って配されている。本実施例の場合、ＥＬディスプレイ２は内側の板ガラス７ｂに接着されているが、例えば遊技盤１に取り付けたサポートにてＥＬディスプレイ２を保持する構成としてもよい。
【００２８】
ＥＬディスプレイ２と液晶ディスプレイ３とは、前後方向に関しては液晶ディスプレイ３が奥、ＥＬディスプレイ２が手前になる位置関係で、上下方向については液晶ディスプレイ３が上、ＥＬディスプレイ２が下になる位置関係で、しかも遊技者から見て互いに重ならないように配されている。
【００２９】
ＥＬディスプレイ２には表示領域２ａ及び配線電極２ｂが備わっている（詳細は後述）。その配線電極２ｂは、フレキシブル回路基板９（ＦＰＣ）等により、ＥＬディスプレイ２を駆動するための集積回路が搭載された回路基板１０と電気的に接続されている。ＥＬディスプレイ２（配線電極２ｂ）とＦＰＣ９およびＦＰＣ９と回路基板１０は、それぞれ異方性導電接着剤（ACF）等によって電気的に接続されている。
【００３０】
ここで、本実施形態におけるＥＬディスプレイ２の構造を、その断面図である図９により説明する。
ＥＬ素子基板１８はガラス基板１２とその上に順次薄膜として積層された、第１電極１３、第１絶縁膜１４、発光層１５、第２絶縁膜１６、および第２電極１７より形成されている。そして、ＥＬ素子のキズ防止、耐湿保護等のために、接着剤１９を介してカバーガラス２０を貼り合せ、ＥＬディスプレイ２を構成している。ここで、上記第１電極１３〜第２電極１７の膜は総膜厚でおよそ２μｍぐらいの非常に薄い膜である。
【００３１】
第１電極１３と第２電極１７はストライプ状で互いに直交しており、例えばＩＴＯ膜にて構成されている。この第１電極１３と第２電極１７とが直交した部分が、電極１３、１７の膜間に挟まれている第１絶縁膜１４、第２絶縁膜１６および発光層１５とともに画素を構成しており、第１電極１３、第２電極１７間に電圧を印加することで、この画素が発光可能となっている。
【００３２】
発光層１５は例えば、ＺｎＳ、ＺｎＳｅ等の半導体材料にて構成されており、発光中心としては、Ｍｎ、Ｔｂ、Ｓｍ等を用いることができる。なお、発光中心にＭｎを用いた場合では黄橙色、Ｔｂを用いた場合では緑色、Ｓｍを用いた場合では赤色の発光を生じる。また、第１絶縁膜１４および第２絶縁膜１６はＴｉＯ2、Ａｌ2Ｏ3、ＳｉＯ2、Ｓｉ3Ｎ4等の誘電体により構成されている。
【００３３】
ＥＬディスプレイ２を構成するガラス基板１２、第１電極１３〜第２電極１７の各薄膜、接着剤１９およびカバーガラス２０は全てほぼ透明であるので、このＥＬディスプレイ２は透過型表示器と言うことができる。
【００３４】
図１に示されるとおり、ＥＬディスプレイ２は遊技盤１の前方に配置されているが、上述したとおり全体がほぼ透明な透過型表示器であるから遊技盤１の視認性を低下させることがなく、遊技者はＥＬディスプレイ２の背後における遊技球８の挙動や役物等の動作を良好に視認できる。また、図２に示されるとおり、ＥＬディスプレイ２は液晶ディスプレイ３よりも前方に置かれていて（液晶ディスプレイ３よりも遊技者に近いので）、より迫力のある可変表示が可能である。
【００３５】
しかも、ＥＬディスプレイ２の表示領域２ａおよび配線電極２ｂは、遊技者から見て液晶ディスプレイ３の表示領域３ａおよび配線電極（図示無し）と重なっていない領域に配設されている。このように配置することで、図１１に示すようなモアレ模様１１が発生しないので、ＥＬディスプレイ２と液晶ディスプレイ３の可変表示の視認性低下は無く、遊技者に不快感を与えない。
［実施例２］
ＥＬディスプレイ２は図３、４のように遊技盤１の前面の板ガラス７ａと７ｂの間隙に配設しても良い。こうすることで、遊技球８とＥＬディスプレイ２が接触することが無くなるので、遊技球８の落下経路の自由度が増え、ＥＬディスプレイ２のガラス基板１２やカバーガラス２０の割れ等の破損も無くなる。なお、本実施例では、ＥＬディスプレイ２は透明な接着剤により内側の板ガラス７ｂに貼着されているが、外側の板ガラス７ａの内側面に貼着してもよい。
【００３６】
本実施例のＥＬディスプレイ２の構造は実施例１（図９）と同様であるが、ガラス基板１２とカバーガラス２０のサイズは実施例１よりも大きく、図３に良好に示されるとおり遊技盤１のほぼ下半分を覆うサイズである。そして第１電極１３、第２電極１７につながる配線電極２ｂは、それぞれＥＬディスプレイ２の端に達しており、ガラス枠６の中でＦＰＣ９と接続されている。つまり、ガラス枠６の中にＥＬディスプレイ２とＦＰＣ９の接続部が配設されており、この接続部は遊技者から見えないからＥＬディスプレイ２の透明性を生かした弾球遊技機となっている。また、ＦＰＣ９は遊技領域から外れた場所に配されているので、ＦＰＣ９が遊技球８の通路を制限することがなく、遊技領域を有効に使用できる。
【００３７】
図３に良好に示されるとおり、ＥＬディスプレイ２の表示領域２ａおよび配線電極２ｂは遊技者から見て液晶ディスプレイ３の表示領域３ａと重なっていない領域に配設されているから、実施例１と同様にモアレ模様１１は発生せず、ＥＬディスプレイ２及び液晶ディスプレイ３の可変表示の視認性低下は無く、遊技者に不快感を与えない。
［実施例３］
さらにＥＬディスプレイ２のガラス基板１２とカバーガラス２０のサイズを大きくして、図５、６のようにガラス基板１２およびカバーガラス２０の端面を全てガラス枠６の中に隠すこともできる。これにより、全てのガラス端面が遊技者の視野に入らないので、ＥＬディスプレイ２の違和感も無く透明感が生きてくる。
【００３８】
また、配線電極２ｂの接続端をＥＬディスプレイ２の上辺に集中させてＦＰＣ９と接続する構成であるから、接続部を１箇所にしてＦＰＣ９の配線量を低減できる。
本実施例は、実施例２と同様にＥＬディスプレイ２を内側の板ガラス７ｂに貼着して板ガラス７ａと７ｂの間隙に配設してあるが、外側の板ガラス７ａの内側面に貼着してもよい。また、ＥＬディスプレイ２のサイズが板ガラス７ａ、７ｂと同等であるから、ＥＬディスプレイ２を板ガラス７ａまたは７ｂの代替として使うことも可能となることは言うまでもない。
【００３９】
図５に良好に示されるとおり、ＥＬディスプレイ２の表示領域２ａおよび配線電極２ｂは遊技者から見て液晶ディスプレイ３の表示領域３ａと重なっていない領域に配設されているから、実施例１と同様にモアレ模様１１は発生せず、ＥＬディスプレイ２及び液晶ディスプレイ３の可変表示の視認性低下は無く、遊技者に不快感を与えない。
［実施例４］
実施例２、３のようにＥＬディスプレイ２のＥＬ素子基板１８が大きくなると生産能力低下や歩留り低下といった面が起因して表示器の価格も上がってしまう。そこで、安価な表示器を提供する構造としてＥＬディスプレイ２を板ガラス７ｂに電気的に接続（導電接続）した実施例を図７、８、１２に示す。図７は正面概要図であり、図８は断面概要図、図１０は導電接続部の詳細図である。
【００４０】
まず、図１０を参照してＥＬディスプレイ２の導電接続部を説明する。ＥＬ素子基板１８の構造は実施例１〜３（図９）とほぼ同様であるが、本実施例では電極１３、１７につながる取り出し電極２１がガラス基板１２上に設けられている。また、板ガラス７ｂには例えばＩＴＯ膜の配線電極２２が配設されている。
【００４１】
ＥＬ素子基板１８は接着材１９にて板ガラス７ｂに接着されており（板ガラス７ｂはカバーガラス２０の役割も果たしている）、ＥＬディスプレイ２の取り出し電極２１と板ガラス７ｂの配線電極２２とは接着剤１９に混入された導電粒子２３（樹脂粒子にＡｕメッキを施したもの。例えば積水ファインケミカル社製のミクロパールＡｕ）によって電気的な導通が確保されている。つまり、ＥＬ素子基板１８は表示領域となるユニットであり、これを板ガラス７ｂに接着することで取り出し電極２１と配線電極２２とを電気的に導通接続させている。
【００４２】
配線電極２２は、図７、８に示すように液晶ディスプレイ３の表示領域を迂回して板ガラス７ｂ上を通って上端に達して、ＦＰＣ９と接続されている。
このように配線電極２２を板ガラス７ｂ上に配設することで、ＥＬディスプレイ２のＥＬ素子基板１８には配線電極２ｂを配設しなくても良く、表示領域２ａと取り出し電極２１とを有するだけでよいのでＥＬ素子基板１８は小さくできる。これにより、ＥＬ素子基板１８の生産能力低下や歩留り低下といったコストアップ要因は無くなり、安価な表示器を提供することが可能になる。
【００４３】
また、ＥＬ素子基板１８と回路基板１０側との電気接続がガラス基板１２端で行われる為に板ガラス７ｂに配線電極２２を配設する必要はあるが、板ガラス７ｂはカバーガラス２０の役割も果たしているので、表示器としては安価な構造といえる。
【００４４】
図７に良好に示されるとおり、ＥＬディスプレイ２の表示領域２ａおよび配線電極２２は遊技者から見て液晶ディスプレイ３の表示領域３ａと重なっていない領域に配設されているから、実施例１と同様にモアレ模様１１は発生せず、ＥＬディスプレイ２及び液晶ディスプレイ３の可変表示の視認性低下は無く、遊技者に不快感を与えない。
［その他］
以上実施例等に従って、本発明の実施の形態を説明したが、本発明はこれらの例に限定されるものではなく、本発明の要旨を逸脱しない範囲でさまざまに実施できることは言うまでもない。
【００４５】
上記各実施例では手前に配置される透過型表示器としてＥＬディスプレイ２を、奥側に配置される第２の表示器として液晶ディスプレイ３を用いているが、他の種類の表示器を用いることもできる。例えば前方の透過型表示器としてＥＬディスプレイ２の代わりに液晶ディスプレイ等の可変表示器を配設してもよい。また、後方の第２の表示器として液晶ディスプレイ３の代わりにＣＲＴやＥＬディスプレイ、プラズマディスプレイ等の可変表示器を配設してもよい。
【００４６】
ここに例示したような透過型表示器と第２の表示器の組合せでも両表示器のドットサイズ同士、ドットサイズと配線電極の電極幅又は電極幅同士が近い寸法であると表示領域や配線電極が重なった場合にモアレ模様１１が発生するので、本発明による対策は有効である。
【００４７】
また、各実施例では弾球遊技機としてパチンコ機を例示したが、他の形式の弾球遊技機（例えばアレンジボール式パチンコ機やじゃん球遊技機）にも適用可能である。
【図面の簡単な説明】
【００４８】
【図１】実施例１のパチンコ機の正面概要図である。
【図２】図１のパチンコ機の断面概要図である。
【図３】実施例２のパチンコ機の正面概要図である。
【図４】図３のパチンコ機の断面概要図である。
【図５】実施例３のパチンコ機の正面概要図である。
【図６】図５のパチンコ機の断面概要図である。
【図７】実施例４のパチンコ機の正面概要図である。
【図８】図７のパチンコ機の断面概要図である。
【図９】実施例１〜３のＥＬディスプレイの断面概要図である。
【図１０】実施例４におけるガラス基板と板ガラスの導電接続部の詳細図である。
【図１１】遊技盤の前面に配設された透過型表示器と遊技盤に配設された第２の表示器が遊技者から見て重なっており、モアレ模様が発生するパチンコ機の正面概要図である。
【図１２】図１１のパチンコ機の断面概要図である。
【符号の説明】
【００４９】
１・・・遊技盤、２・・・ＥＬディスプレイ（透過型表示器）、２ａ・・・表示領域、２ｂ・・・配線電極、３・・・液晶ディスプレイ（第２の表示器）、３ａ・・・表示領域、４・・・障害釘、５・・・入賞口、６・・・ガラス枠、７ａ、７ｂ・・・板ガラス（透明板）、８・・・遊技球、９・・・フレキシブル回路基板、１０・・・回路基板、１１・・・モアレ模様、１２・・・ガラス基板、１３・・・第１電極、１４・・・第１絶縁膜、１５・・・発光層、１６・・・第２絶縁膜、１７・・・第２電極、１８・・・ＥＬ素子基板（表示領域となるユニット）、１９・・・接着剤、２０・・・カバーガラス、２１・・・取り出し電極、２２・・・配線電極、２３・・・導電粒子。
【図９】
2005205081.tif 000003
【図１】
2005205081.tif 000004
【図２】
2005205081.tif 000005
【図３】
2005205081.tif 000006
【図４】
2005205081.tif 000007
【図５】
2005205081.tif 000008
【図６】
2005205081.tif 000009
【図７】
2005205081.tif 000010
【図８】
2005205081.tif 000011
【図１０】
2005205081.tif 000012
【図１１】
2005205081.tif 000013
【図１２】
2005205081.tif 000014